(57)【要約】【課題】入力欄が複数あると、操作部を操作することでどの入力欄に数字、文字等の記号が入力されるのかをユーザが把握できないことがある。【解決手段】本発明の表示装置は、操作部を操作することによって記号が入力される入力欄をユーザが容易に把握できるようにするため、記号が入力される入力欄の表示形態に応じて操作部の表示形態を制御する。この制御は、ユーザが入力欄と操作部を見て、操作部を操作することで記号が入力される入力欄を容易に判断できるように、例えば、操作部の色、模様または形状等を、記号が入力される入力欄の色、模様、形状と同じ又は似せて表示する。【選択図】図１
2005044108.tif 000002
【特許請求の範囲】
【請求項１】
記号が入力される複数の入力欄を表示する表示パネルと、上記入力欄に記号を入力する操作部を備えた表示装置において、
上記入力欄の表示形態に応じて、上記操作部の表示形態を制御する表示制御手段を備えたことを特徴とする表示装置。
【請求項２】
上記表示制御手段は、記号の入力可能な状態の入力欄の表示形態に応じて、上記操作部の表示形態を制御する請求項１に記載の表示装置。
【請求項３】
上記操作部が複数の操作キーから構成され、上記入力欄に適合した記号を入力する操作キーのみを、上記入力欄の表示形態に応じた表示形態で表示する請求項１に記載の表示装置。
【請求項４】
上記各入力欄と対応した操作部を複数備え、
上記表示制御手段は、各操作部を、各操作部と対応する入力欄の表示形態に応じた表示形態で表示する請求項１に記載の表示装置。
【発明の詳細な説明】
【０００１】
【発明の属する技術分野】
本発明は、表示パネルのユーザインターフェイスの向上を図る表示装置に関する。
【０００２】
【従来の技術】
ファクシミリ、複写機、デジタル複合機等の電子機器は、ファクシミリの送信先、コピーの倍率、コピー部数等を入力するための表示パネルを備える。例えば、縦横独立変倍機能では、コピーの際の縦方向の倍率と、横方向の倍率を独立して設定するのに表示パネルが用いられる。この場合の表示例を図２に示す。図２に示すように縦方向の倍率が入力される入力欄１１１と横方向の倍率が入力される入力欄１１２が表示される。これらの入力欄１１１、１１２への倍率の入力は、物理的に設けられた一組のテンキー１３１やカーソルキー、又は表示パネル１０１に表示されたカーソルキーやテンキー等の操作部を用いて行われる。
【０００３】
このように１つの操作部で２つの入力欄１１１、１１２に倍率を入力するため、操作部を操作すると、いずれの入力欄１１１、１１２に倍率が入力されるかユーザは分からない。いずれの入力欄１１１、１１２に倍率が入力されるかをユーザが分かるように、従来では、倍率が入力される方の入力欄を反転表示させる方法等が採られている。
【０００４】
【特許文献１】
特公平５−２５１１１号公報
【０００５】
【発明が解決しようとする課題】
しかし、反転表示させても、反転表示された入力欄に倍率が入力されるのか、反転表示されていない入力欄に倍率が入力されるのか、ユーザが判断できずに迷うことがある。
【０００６】
何れの入力欄に倍率が入力されるのかを判断できない事態は、上記のように１つの操作部で複数の入力欄に倍率を入力する場合だけでなく、入力欄が複数あれば発生する。
【０００７】
そこで、本発明は、操作部を操作すればどの入力欄に倍率等の数字や文字等の記号が入力されるのかをユーザが容易に認識できる表示装置を提供することを目的とする。
【０００８】
【課題を解決しようとする手段】
本発明の表示装置は、操作部を操作することによって数字、文字等の記号が入力される入力欄をユーザが容易に把握できるようにするため、記号が入力される入力欄の表示形態に応じて操作部の表示形態を制御する。この制御は、ユーザが入力欄と操作部を見て、操作部を操作することで記号が入力される入力欄を容易に判断できるように、例えば、操作部の色、模様または形状等を、記号が入力される入力欄の色、模様、形状と同じ又は似せて表示する。
【０００９】
この制御によって、入力欄と操作部の表示形態を比べれば、ユーザは、操作部と入力欄との対応関係が分かり、どの操作部を操作すればどの入力欄に記号が入力されるのかを容易に認識することができる。
【００１０】
【発明の実施の形態】
（実施の形態１）
以下では、図１に示すように、本発明の表示装置１００が、デジタル複合機２００に実装される場合について説明する。
【００１１】
表示装置１００が実装されたデジタル複合機２００は、コピー、スキャナ、ファクシミリ機能等を備える。このコピー機能の１つとして、縦横独立変倍機能がある。
【００１２】
表示装置１００が備える表示パネル１０１に、縦方向と横方向の倍率を設定するための縦横独立変倍画面が表示されている状態を図２に示す。図２に示すように、縦横独立変倍画面には、縦方向の倍率を入力する入力欄１１１と、横方向の倍率を入力する入力欄１１２がある。本実施の形態においては、表示パネル１０１にカラー液晶が用いられている。入力欄１１１はオレンジ色で、入力欄１１２は青色で表示されるものとする。上記２つの入力欄１１１、１１２への倍率の入力は、操作部１３０を操作することで行われる。本実施の形態においては、操作部１３０として、図２に示すデジタル複合機２００の表面に設けられた物理的な構成の１組のテンキー１３１を用いる。このテンキー１３１の表面は、透明または半透明の樹脂で構成され、内部には、ＬＥＤ等のカラー光源が設けられている。カラー光源の発光する色を制御することで、テンキー１３１は様々な色で発光することができる。
【００１３】
テンキー１３１で入力された値に基づいて、デジタル複合機のコピー機能、スキャナ機能、ファクシミリ機能の各種の設定を行うプログラムとその設定のために表示パネル１０１に表示される縦横独立変倍画面の設定画面は、デジタル複合機２００が備える記憶手段２０１に記憶されている。上記記憶手段２０１に記憶された設定画面の画像とプログラムは、その動作時に表示パネル１０１の表示を制御する表示制御手段１０２と通信する。
【００１４】
上記表示制御手段１０２は、縦横独立変倍画面の画像と縦方向の倍率と横方向の倍率を独立して設定するプログラムが動作すると、対応する設定画面の画像に、ユーザが入力する文字、数字等の記号が入力される入力欄が含まれるかどうかを判断する。図２に示すように、縦横独立変倍画面においては、入力欄１１１と入力欄１１２があるので、ここでは、上記表示制御手段１０２は、入力欄が含まれると判断する。
【００１５】
尚、入力欄を含まないと判断した場合、上記表示制御手段１０２は、対応する設定画面の画像を記憶手段２０１から取得して表示パネル１０１に表示する。
【００１６】
入力欄が含まれると判断すると、上記表示制御手段１０２は、設定画面の画像に含まれる入力欄１１１、１１２の属性情報を参照し、入力欄１１１、１１２の表示形態を認識する。この属性情報には、図３に示すように、入力欄または入力欄の枠の色、形状等が含まれる。
【００１７】
入力欄１１１、１１２の表示形態を認識すると、上記表示制御手段１０２は、操作部１３０を操作すれば何れの入力欄１１１、１１２に倍率が入力されるのかをユーザが容易に認識できるように、テンキー１３１の表示形態を決定する。
【００１８】
本実施の形態においては、テンキー１３１を用いて最初に入力された倍率を縦方向の倍率と認識し、２番目に入力された倍率を横方向の倍率と認識する。この場合、上記表示制御手段１０２は、最初に入力された倍率を入力欄１１１に表示する。また、上記表示制御手段１０２は、２番目に入力された倍率を入力欄１１２に表示する。
【００１９】
よって、縦横独立変倍機能の設定画面を表示パネル１０１に表示してから、１つ目の倍率が入力されるまでは、入力した倍率が入力欄１１１に表示されることをユーザに認識させるために、上記表示制御手段１０２は、１つ目の倍率が入力されるまでの操作部１３０の表示形態を入力欄１１１の色と同じオレンジ色と決定する。また、上記表示制御手段１０２は、１つ目の倍率が入力された後の操作部１３０の表示形態を入力欄１１２の色と同じ青色と決定する。
【００２０】
テンキー１３１の表示形態を決定すると、上記表示制御手段１０２は、記憶手段２０１から取得した画面の画像に基づいて、縦横独立変倍機能の設定画面を表示パネル１０１に表示すると共に、テンキー１３１の内部に設けられたカラー光源をオレンジ色に光らせる。
【００２１】
このように、入力欄１１１とテンキー１３１が同じ色で表示されるので、ユーザは、テンキー１３１を操作することで入力欄１１１に倍率が入力されることを容易に認識することができる。
【００２２】
ユーザがテンキー１３１を用いて倍率を入力欄１１１に入力し、デジタル複合機２００に物理的に設けられた決定キー１３２を操作すると、上記表示制御手段１０２は、倍率を入力欄１１１に表示し、入力された倍率は縦方向の倍率として記憶される。縦方向の倍率を記憶すると、上記表示制御手段１０２は、上記テンキー１３１に設けられたカラー光源を青色に発光させる。
【００２３】
これにより、入力欄１１２の枠とテンキー１３１が同じ色で表示されるので、ユーザは、テンキー１３１を操作することで入力欄１１２に倍率が入力されることを容易に認識することができる。
【００２４】
ユーザがテンキー１３１を用いて倍率を入力欄１１２に入力し、決定キー１３２を操作すると、上記表示制御手段１０２は、倍率を入力欄１１２に表示し、入力された倍率は横方向の倍率として記憶される。
【００２５】
縦方向と横方向の倍率が記憶されると、それらはデジタル複合機２００の印刷を制御する印刷制御手段２１０に通知される。
【００２６】
これによって、デジタル複合機２００は、ユーザが入力した倍率で印刷を実行する。
【００２７】
なお、上記では１組のテンキー１３１の表示形態をオレンジ色又は青色としているが、一部のテンキー１３１のみをオレンジ色又は青色としても良い。
【００２８】
例えば、縦方向または横方向の倍率に、１倍、２倍、３倍の３種類の倍率のみを設定することができる場合、上記表示制御手段１０２は、１〜３のテンキー１３１のみの表示形態をオレンジ色又は青色に決定し、その他のテンキー１３１の表示形態を、オレンジ色または青色以外の色に決定する。このように、設定することができる数値のテンキー１３１のみを入力欄１１１、１１２の表示形態と同じ表示形態にすることで、ユーザの誤操作を防ぐことができる。
【００２９】
なお、上記においては、操作部１３０として、物理的に構成されたテンキー１３１を用いた場合について説明したが、操作部１３０として液晶パネルに表示されるテンキーを用いても良い。
【００３０】
また、上記において、決定キー１３２を操作することにより、入力された倍率を記憶する場合について説明したが、テンキー１３１を操作する度に記憶するようにしてもよい。
【００３１】
また、上記においては、縦方向および横方向の倍率を予め決められた順序で入力する場合について説明したが、入力欄１１１、１１２の「たて」および「よこ」の表示部分を選択キーとして、縦方向および横方向の倍率を変更することも可能である。すなわち、当該選択キーの「たて」を選択すると、テンキー１３１がオレンジ色となり縦方向の倍率を入力できる。当該選択キーの「よこ」を選択すると、テンキー１３１が青色となり横方向の倍率を入力できる。これらの選択キーは任意に選択可能であり、縦方向および横方向の倍率を適宜変更することができる。入力された倍率は、決定キー１３２、テンキー１３１または上記選択キーを操作することにより記憶手段２０１に記憶される。
【００３２】
（実施の形態２）
実施の形態１では、１つの操作部で複数の入力欄に倍率を入力する入力形態の場合について説明した。各入力欄１１１、１１２への倍率の入力は、各入力欄１１１、１１２に対応した操作部１３０で行われる場合もある。
【００３３】
例えば、図４に示すように、操作部１３０として物理的に構成された上下左右方向のカーソルキー１４１〜１４４が用いられる場合がある。この場合、縦横独立変倍画面に表示される入力欄１１１への倍率の入力は、上下方向のカーソルキー１４１、１４２で行われ、入力欄１１２への倍率の入力は、左右方向のカーソルキー１４３、１４４で行われるとする。
【００３４】
上方向のカーソルキー１４１を操作すると、入力欄１１１に表示される倍率が大きくなり、下方向のカーソルキー１４２が操作されると入力欄１１１に表示される倍率が小さくなる。左方向のカーソルキー１４３が操作されると、入力欄１１２の倍率が大きくなり、右方向のカーソルキー１４４が操作されると入力欄１１２の倍率が小さくなる。
【００３５】
この上下左右方向の各カーソルキー１４１〜１４４の表面は、透明または半透明の樹脂で構成され、内部には、ＬＥＤ等のカラー光源が設けられている。カラー光源の発光する色を制御することで、各カーソルキー１４１〜１４４は様々な色で発光することができる。
【００３６】
上記表示制御手段１０２は、実施の形態１と同様にして、設定画面の画像に、入力欄１１１、１１２が含まれることを認識する。
【００３７】
含まれると判断すると、上記表示制御手段１０２は、実施の形態１のように設定画面の画像に含まれる入力欄１１１、１１２の属性情報を参照して、入力欄１１１、１１２の表示形態を認識する。入力欄１１１、１１２の表示形態を認識すると、上記表示制御手段１０２は、カーソルキー１４１〜１４４を操作すれば何れの入力欄１１１、１１２に倍率が入力されるのかをユーザが容易に認識できるように、カーソルキー１４１〜１４４の表示形態を決定する。
【００３８】
本実施の形態における縦横独立変倍機能の設定プログラムは、実施の形態１のように入力された順序に関係なく、上述のように、上下のカーソルキー１４１、１４２を操作すると入力欄１１１に表示された倍率を変更し、左右のカーソルキー１４３、１４４を操作すると入力欄１１２に表示された倍率を変更する。
【００３９】
そのため、上記表示制御手段１０２は、上下方向のカーソルキー１４１、１４２を入力欄１１１と同じオレンジ色にし、左右方向のカーソルキー１４３、１４４を入力欄１１２と同じ青色に決定する。
【００４０】
入力された倍率は、カーソルキー１４１〜１４４を操作する度に記憶手段２０１に記憶される。あるいは、実施の形態１と同様に別途決定キーを設けて、この決定キーの操作により記憶するようにしてもよい。
【００４１】
上記表示制御手段１０２は、上下のカーソルキー１４１と左右のカーソルキー１４２の表示形態を決定すると、図４に示すように縦横独立変倍画面を表示パネル１０１に表示すると共に、上下のカーソルキー１４１に設けられたカラー光源をオレンジ色に発光させ、左右のカーソルキー１４３、１４４に設けられたカラー光源を青色に発光させる。
【００４２】
上下のカーソルキー１４１、１４２が入力欄１１１と同じオレンジ色で表示され、左右のカーソルキー１４３、１４４が入力欄１１２と同じ青色で表示される。これにより、ユーザは、上下のカーソルキー１４１、１４２を操作すれば入力欄１１１に表示される倍率を変更でき、左右のカーソルキー１４３、１４４を操作すれば、入力欄１１２に表示される倍率を変更できることを容易に認識することができる。
【００４３】
そのため、入力欄１１１または入力欄１１２の倍率を変更する場合、ユーザは、どのカーソルキーを操作すればよいのか迷うことがない。
【００４４】
上記では、操作部１３０としてテンキーまたはカーソルキーを用いた場合について説明したが、操作部１３０としてテンキーとカーソルキー等、複数種類のキーを用いたり、テンキーとカーソルキー以外のキー、例えばファンクションキーを用いてもよい。
【００４５】
なお、表示装置１００が上下のカーソルキー１４１、１４２、あるいは左右のカーソルキー１４３、１４４のいずれかしか備えていない場合は、入力欄１１１、１１２の「たて」および「よこ」の表示部分を選択キーとしてもよい。この場合、操作された当該選択キーに従って、カーソルキー１４１、１４２（またはカーソルキー１４３、１４４）を変色させて、縦方向または横方向の倍率を入力することができる。
【００４６】
【発明の効果】
入力欄と操作部の表示形態を見れば、入力欄や操作部が複数あっても、ユーザは、どの操作部を操作すればどの入力欄に記号が入力されるのかを容易に認識することができる。
【図面の簡単な説明】
【図１】表示装置がデジタル複合機に実装された場合の表示装置とデジタル複合機の機能ブロック図。
【図２】実施の形態１の表示パネルの画面例を示す図。
【図３】入力欄の属性情報を示す図。
【図４】実施の形態２の表示パネルの画面例を示す図。
【符号の説明】
１００  表示装置
１０１  表示パネル
１０２  表示制御手段
１１１、１１２  入力欄
１３０  操作部
２００  デジタル複合機
２０１  記憶手段
【図１】
2005044108.tif 000003
【図２】
2005044108.tif 000004
【図３】
2005044108.tif 000005
【図４】
2005044108.tif 000006